(57)【要約】【課題】挟持性能を強化した挟持性能強化型電気コネクタの提供。【解決手段】本体座体と、遮蔽ハウジングと、複数の導電端子と、挟持部材とを含み、前記本体座体は上挿入槽及び複数の端子挿入槽を備え、前記遮蔽ハウジングが前記本体座体の外側を覆い、前記本体座体と共に収容空間を構成し、且つ、複数の弾性片を備え、前記複数の導電端子が前記端子挿入槽内に挿入され、前記挟持部材は複数の挟持端子及び複数の圧接片を備え、前記上挿入槽内に挿入されると共に、前記圧接片と弾性片が相互に接触し、前記挟持部材と前記遮蔽ハウジングに電気的接続を形成し、且つ、第一方向上で相互干渉を形成して挟持性能を強化する。【選択図】図１
2006332023.tif 000002
【特許請求の範囲】
【請求項１】
本体座体と、遮蔽ハウジングと、複数の導電端子と、挟持部材とを含み、そのうち、前記本体座体は上挿入槽及び複数の端子挿入槽を備え、前記遮蔽ハウジングが前記本体座体の外側を覆い、前記本体座体と共に収容空間を構成し、且つ、複数の弾性片を備え、前記複数の導電端子が前記端子挿入槽内に挿入され、前記挟持部材は複数の挟持端子及び複数の圧接片を備え、前記上挿入槽内に挿入されると共に、前記圧接片と弾性片が相互に接触し、前記挟持部材と前記遮蔽ハウジングに電気的接続を形成し、且つ、第一方向上で相互に干渉を形成する、挟持性能強化型電気コネクタ。
【請求項２】
前記遮蔽ハウジングの弾性片が前記上挿入槽内に挿入され、前記圧接片と重なる、請求項１に記載の挟持性能強化型電気コネクタ。
【請求項３】
前記遮蔽ハウジングの弾性片上に固定孔を設け、前記圧接片上に突起部を設置し、前記固定孔及び突起部が構成する保持・固定機構により、前記挟持部材と前記遮蔽ハウジングが電気的接続を形成すると共に、第一方向上において相互に干渉を形成する、請求項１に記載の挟持性能強化型電気コネクタ。
【請求項４】
さらに前記上挿入槽の前記遮蔽ハウジングの弾性片と接触する側面上に突起点を設け、前記弾性片の固定孔と干渉を形成する、請求項１に記載の挟持性能強化型電気コネクタ。
【請求項５】
本体座体と、遮蔽ハウジングと、複数の導電端子と、挟持部材とを含み、そのうち、前記本体座体は上挿入槽及び複数の端子挿入槽を備え、前記遮蔽ハウジングが前記本体座体外側を覆い、前記本体座体と共に収容空間を構成し、前記複数の導電端子が前記端子挿入槽内に挿入され、前記挟持部材が前記上挿入槽内に挿入され、且つ、同一方向上に延伸された複数の端子セット及び複数の圧接片を備え、前記圧接片が前記端子セットの間を隔てて設置された、挟持性能強化型電気コネクタ。
【請求項６】
前記端子セットが２つの挟持端子を含む、請求項５に記載の挟持性能強化型電気コネクタ。
【請求項７】
前記圧接片上に突起部を設けた、請求項５に記載の挟持性能強化型電気コネクタ。
【発明の詳細な説明】
【技術分野】
【０００１】
本発明は電気コネクタに関し、特に、フレキシブルケーブルの電気的接続に使用され、挟持力が高く、繰り返しの抜き差しにも強い、挟持性能強化型電気コネクタに関する。
【背景技術】
【０００２】
従来のフレキシブルケーブルの電気的接続に使用するメスコネクタは、特に液晶パネル(Liquid Crystal Display Panel)に応用する薄型メスコネクタなどは、その主な構造がプラスチック製の本体座体、金属ハウジング及び複数の導電端子から構成される。このようなコネクタは薄型化の要求に対応するため、ほとんどがプラスチック本体座体の一側面を取り除き、プラスチック本体座体及び金属ハウジングが共同で一つの挿入空間を構成している。オスコネクタを挿入すると、オスコネクタの片側が導電端子に接触して電気的接続を得、他方の側が金属ハウジングに接触して接地される。より優れた挟持力及び接地機能を備え、オスコネクタが抜け落ちないようにした薄型メスコネクタには、中華民国特許第
９１２１７３３２号に掲示されるようなメスコネクタがあるが、これは金属ハウジングの片側の壁面上に一体成型で複数の挿入空間内に向かって延伸され、導電端子に相対して設置された弾性片を形成し、オスコネクタを挿入すると、オスコネクタの接続部両側が導電端子及び弾性片によりしっかりと挟持され、且つ、同時に接地接続が増進される。しかしながら、このような設計方式は金属ハウジングに対して破壊が形成され、却って挟持強度が低くなり、金属ハウジングをより厚く設計してもその効果は優れない。
【０００３】
また、導電端子と金属ハウジングの間に接地板を増設する方式を採用し、接地板を金属ハウジングと接触させて金属ハウジングに接地させる方法で直接金属ハウジングを接地する方法に取って代わるものもある。オスコネクタを挿入すると、オスコネクタの接続部が同時に導電端子及び接地板に挟持され、挟持強度が悪いという欠点を改善する。しかしながら、接地板が両側の端とプラスチック本体座体間で固定されるため、メスコネクタの接続端子数が増加すると、接地板の長さが長くなり、両側に比べ中間部分の接地板が往々にして繰り返し抜き差しされる状況下で徐々に外側に向かって離脱し、最後には破損してしまう。同時に、金属ハウジングに当接される接地板の部分が、両者間の接触性が優れないため、容易に断線やその他破壊減少が発生する。
【０００４】
このほか、別の方向からプラスチック本体座体外側に設置された金属ハウジングは、反対方向の固定力がなく、繰り返し使用しているうちに緩んでしまう現象が往々にして発生する。
【発明の開示】
【発明が解決しようとする課題】
【０００５】
本発明の目的は、メス電気コネクタとオスコネクタ間の挟持力を増すため、挟持性能を強化した電気コネクタを提供することにある。
【０００６】
本発明の別の目的は、遮蔽ハウジングと挟持部材間の組み立て方向において相互に固定し合う保持力を形成し、両者が不適切な外力を受けても緩まず、電気コネクタの使用寿命を延長する、挟持性能を強化した電気コネクタを提供することにある。
【０００７】
本発明のさらに別の目的は、挟持部材各部分が均一に固定され、安定した接触力を形成する、挟持性能を強化した電気コネクタを提供することにある。
【課題を解決するための手段】
【０００８】
本発明の挟持性能を強化した電気コネクタは、本体座体、遮蔽ハウジング、複数の導電端子及び挟持部材の４つの主要部分から構成される。そのうち、挟持部材と導電端子は相互に対応し且つ本体座体内に挿入・固定され、遮蔽ハウジングは挟持部材の挿入方向と反対の方向から本体座体に嵌合されて本体座体外側を覆う。この挟持部材には複数の圧接片を設け、該圧接片と遮蔽ハウジングの弾性片が本体座体内の上挿入槽で重なりを形成し、且つ、両者が第一方向上で相互干渉を形成して挟持部材と遮蔽ハウジングが本体座体から離脱したり、位置移動やゆるみの現象が発生したりしにくくする。このほか、上述の干渉・固定構造により、挟持部材と導電端子間によりよい挟持力が形成され、オスコネクタをしっかりと固定する。
【発明を実施するための最良の形態】
【０００９】
本発明の内容をより具体的に示すため、以下、図面と最良の実施例に基づき詳細に説明する。また、本発明は以下の詳細な描写のほかにも広くその他実施例に応用することができる。
【実施例１】
【００１０】
まず、図１から図３に本発明の実施例１の立体斜視図、上面図、立体分解図をそれぞれ示す。電気コネクタ１００は、本体座体１０、導電端子２０、挟持部材３０、遮蔽ハウジング４０を含み、この本体座体１０はプラスチック一体成型による略L字形を呈する枠体であり、この本体座体後ろ側１１に上挿入槽１１１及び複数の端子挿入槽１１２を開設し、この端子挿入槽１１２は本体座体１０の内側面１１３上まで延伸される。本体座体１０左右両側に近い位置に溝部１２１及び嵌合孔１２２を設ける。複数の導電端子２０はそれぞれ分離した状態であり、第一方向A１に向けて等間隔で排列され、且つ、中央部２１が前記端子挿入槽１１２内に挿入されて固定され、接触端２２が延伸されて前記本体座体１０の内側面１１３に位置し、且つ、外側に向かってやや湾曲され、溶接端２３が本体座体１０外部に向かって延伸され、回路板に接触・固定される。
【００１１】
挟持部材３０は、本体座体１０の後ろ側１１から挿入され、且つ、上挿入槽１１１内に固定される。挟持部材３０は第二方向A２に延伸され、且つ、第二方向A２と垂直の第一方向A１に複数の挟持端子３１及び複数の圧接片３３を延伸して設け、挟持端子３１の前端部分に湾曲した挟持端子接触部３１１を設け、圧接片３３上に上方向または下方向に突出した突起部３３１を設ける。この実施例１においては、製品の設計上の必要に応じ、２つの挟持端子３１を一組の端子セット３２とみなし、圧接片３３が２つの端子セット３２間に設置され、圧接片３３と挟持端子３１の間に第一間隙３４１が形成され、２つの挟持端子３１の間に第二間隙３４２が形成される。
【００１２】
遮蔽ハウジング４０は、枠体状の金属製のハウジングであり、前記導電端子２０及び挟持部材３０が本体座体１０に挿入される方向と反対の方向から本体座体１０に嵌合され、本体座体１０の外側を覆う。この遮蔽ハウジング４０の上面４１と本体座体１０の内側面１１３が一つの収容空間１３を形成し、オスコネクタの挿入に用いられる。遮蔽ハウジング４０の上面４１上に複数の開口部４１１及び収容空間１３内部に傾斜した状態で延伸された接地弾性片４１２を設け、上面４１の側辺上に複数の前記挟持部材３０の圧接片３３位置に対応する弾性片４２を設置し、遮蔽ハウジング４０の両側に嵌合部４３及び接地部４４を設ける。本発明の挟持性能を強化した電気コネクタは、前述の本体座体１０、複数の導電端子２０、挟持部材３０及び遮蔽ハウジング４０等の４つの主要な部材から構成される。
【００１３】
本体座体１０の上挿入槽１１１に挟持部材３０が挿入されて固定され、複数の挟持端子３１が本体座体１０内に延伸され、且つ、挟持端子接触部３１１が導電端子２０の接触端２２に相対して設置され、挿入されるオスコネクタの接触部が同時に導電端子２０及び挟持端子３１により挟持され、オスコネクタが挟持力不足により脱落するのを防ぐことができる。図３に示すように、挟持部材３０をしっかりと固定するため、上挿入槽１１１上に複数の突出部１１４を設け、その位置は挟持部材３０の形状に合わせて設置し、挟持部材３０が上挿入槽１１１に挿入されると、各突出部１１４がちょうど第一間隙３４１及び第二間隙３４２の内側に当接され、明確に各挟持端子３１及び圧接片３３の位置が定義される。この実施例１においては、突出部１１４は上挿入槽１１１の上下の側辺部を接続しており、上挿入槽１１１上下側辺部の強度を確保し変形を防いでいるが、ほかの実施例においては、突出部１１４は上挿入槽１１１のいずれかの側辺部から他方の側辺部へ向かって延伸するが、その他方の側辺部と接続しなくてもよく、特に、第二間隙３４２に当接される突出部１１４は、上挿入槽１１１のあらゆる側辺部から別の側辺部へ向かって延伸し、且つ、直接２つの挟持端子３１の間の接続箇所に圧接させることができる。
【００１４】
図４に本体座体１０の後部構造の部分拡大図を示す。且つ、一部上面を透視図として示している。この図において、各突出部１１４の後ろ側上方に別途挟持部材３０の厚みに合わせた位置規制開口部１１５を形成し、挟持部材３０を上挿入槽１１１に挿入すると、第一間隙３４１及び第二間隙３４２の内側部分が位置規制開口部１１５内に嵌入され、挟持部材３０が上下方向(即ち第三方向A３)において位置規制され、挟持部材３０が上挿入槽１１１の上半部に固定される。同時に図５に図２のB-B線での断面図を示す。この図からわかるように、挟持部材３０を上挿入槽１１１に挿入すると、挟持部材３０が位置規制開口部１１５内に嵌入され、挟持端子３１が収容空間１３内に延伸されて導電端子２０と向かい合って配置される。位置規制開口部１１５により、挟持部材３０が上挿入槽１１１の上半部に固定され、下半部には一部埋められていない空間が形成され、特に、各圧接片３３下方に形成される隙間に、遮蔽ハウジング４０の弾性片４２をちょうどよく収容することができる。遮蔽ハウジング４０と本体座体１０を相互に嵌合すると、遮蔽ハウジング４０両側の嵌合部４３が本体座体１０の嵌合孔１２２に嵌合され、遮蔽ハウジング４０の両側が固定されると共に、各弾性片４２がちょうど上挿入槽１１１内の各圧接片３３の位置に対応して挿入され、弾性片４２と圧接片３３が第三方向A３上で重なりを形成する。図６に図２のA-A線での断面図を示す。この図からわかるように、挟持部材３０は上挿入槽１１１の上半部に位置し、遮蔽ハウジング４０の弾性片４２が上挿入槽１１１下半部の隙間に挿入され、圧接片３３と重なる。且つ、弾性片４２上に設置した固定孔４２１と圧接片３３上の突起部３３１の両者が構成する係合関係が相互に干渉を形成し、挟持部材３０と遮蔽ハウジング４０が第一方向A１上で相互を保持・固定し、こうして挟持部材３０と遮蔽ハウジング４０の両者が離脱するのを防ぎ、且つ、縦長方向上で各部分がすべて均一に保持・固定され、緩みや位置移動等の不良破壊の発生を減少し、相対的にオスコネクタに対する挟持力が増強される。
【実施例２】
【００１５】
このほかの実施例においては、図７に示すように、遮蔽ハウジング４０、本体座体１０と挟持部材３０間の固定性を増強するため、さらに本体座体１０の上挿入槽１１１の一側面の各固定孔４２１に対応する位置に突起点１１６を増設し、固定孔４２１との干渉を形成して固定力を増強してもよい。そのほか、遮蔽ハウジング４０の弾性片４２を圧接片３３の上方に挿入することもできる。また図８に示すように、上挿入槽１１１の突出部１１４の位置規制開口部１１５を後ろ側の下部に移動し、挟持部材３０を上挿入槽１１１に挿入すると下半部に位置が規制され、遮蔽ハウジング４０の弾性片４２が圧接片３３の上方に重なり、相互に干渉を形成するようにすることもできる。
【実施例３】
【００１６】
弾性片４２の固定孔４２１と圧接片３３の突起部３３１の設置数量は、電気コネクタ１００の実際の寸法及びピン数により全部設置するか間隔をあけて設置するか選択することができる。使用者の必要に応じて、図９の例では間隔をあけて設置する方法を採用している。同時に、挟持部材３０の挟持端子３１と圧接片３３の排列方式については、コネクタの実際の必要に応じて、一対一の間隔で設計してもよく、即ち、２つの挟持端子３１ごとに圧接片３３を１つ配置する方式ではなく、挟持端子３１と圧接片３３を１つずつ交互に設置することもできる。
【００１７】
本発明の挟持部材３０の設置目的は、オスコネクタに対する挟持性能を増強するためであり、接地接続部分については、直接遮蔽ハウジング４０の側面４１上に設けた接地弾性片４１２とオスコネクタの接地部を接続し、さらに遮蔽ハウジング４０の接地部４４を介して回路板の接地回路上に接続する。
【００１８】
以上で述べた内容に基づき、本発明のコネクタは優れた挟持性能を備え、且つ、コネクタ各部品間の保持・固定性を増強し、特に、薄型枠体を備えたコネクタにおいては、優れた効果を発揮することができる。本発明の応用範囲は、上述の実施例のみに限らず、本発明の発明目的と達成可能な効果と同等または均等の効果を得るもの、または本発明の変形或いは改良はすべて、本発明の特許範囲に含まれるものとする。本発明は特許法の規定に符合しており、法に基づきここに特許を出願するものである。
【図面の簡単な説明】
【００１９】
【図１】本発明の実施例１の立体斜視図である。
【図２】本発明の実施例１の上面図である。
【図３】本発明の実施例１の分解図である。
【図４】本発明の本体座体の後部構造を示す部分拡大図である。
【図５】図２のB-B線での断面図である。
【図６】図２のA-A線での断面図である。
【図７】本発明の実施例２である。
【図８】本発明の実施例３である。
【図９】本発明の実施例４の分解図である。
【符号の説明】
【００２０】
１００ 電気コネクタ
１０  本体座体
１１  本体座体後ろ側
１１１ 上挿入槽
１１２ 端子挿入槽
１１３ 内側面
１１４ 突出部       
１１５ 位置規制開口部     
１１６ 突起点
１２１ 溝部       
１２２ 嵌合孔 
１３ 
収容空間
２０ 
導電端子   
２１ 
中央部
２２ 
接触端     
２３ 
溶接端
３０ 
挟持部材   
３１ 
挟持端子
３２  端子セット     
３３  圧接片
３１１ 挟持端子接触部  
３３１ 突起部
３４１ 第一間隙  
３４２ 第二間隙
４０  遮蔽ハウジング    
４１  遮蔽ハウジング側面
４１１ 開口部        
４１２ 接地弾性片
４２ 
弾性片        
４２１ 固定孔
４３  嵌合部      
４４  接地部
A１  第一方向    
A２  第二方向
A３ 
第三方向
【図１】
2006332023.tif 000003
【図２】
2006332023.tif 000004
【図３】
2006332023.tif 000005
【図４】
2006332023.tif 000006
【図５】
2006332023.tif 000007
【図６】
2006332023.tif 000008
【図７】
2006332023.tif 000009
【図８】
2006332023.tif 000010
【図９】
2006332023.tif 000011